(57)【特許請求の範囲】
【請求項１】
ネットワークを介して接続されるネットワーク端末装置から、送信依頼データと、この送信依頼データの宛先を指定する宛先情報とを受信して、この宛先情報に基づいて、前記送信依頼データを送信する通信端末装置において、
モデム制御シーケンスによるやりとりを前記ネットワークを介して行うことにより、前記送信依頼データの送信結果を通知すべき通知先アドレス情報を前記ネットワーク端末装置から受信する手段と、
前記ネットワーク端末装置に対して前記モデム制御シーケンスによる擬似応答を返送する手段と、
前記送信依頼データの送信終了後、当該送信の結果を内容として含む電子メールを前記ネットワークを介して前記通知先アドレス情報により特定される宛先に送信する手段と、
前記送信依頼データと前記宛先情報とを記憶する記憶手段とを有し、
前記送信依頼データの送信結果が送信エラーであった場合には、当該送信依頼データを前記宛先情報および前記通知先アドレス情報と共に前記記憶手段に記憶保持する一方、
前記送信依頼データを指定した送信取消の旨を内容とする電子メールを受信したときには、前記記憶手段に記憶している当該送信依頼データを削除し、
前記送信依頼データを指定した再送信の旨を内容とする電子メールを受信したときには、前記記憶手段に記憶している当該送信依頼データを、前記宛先情報により指定された宛先に再送信することを特徴とする通信端末装置。
【請求項２】
ネットワークを介して接続される通信端末装置に対して、送信依頼データとこの送信依頼データの宛先を指定する宛先情報とを送るネットワーク端末装置と、前記ネットワーク端末装置から受信した前記送信依頼データを前記宛先情報に基づいて送信する前記通信端末装置とを含むデータ通信システムにおける送信結果通知方法であって、
前記ネットワーク端末装置は、少なくとも、
モデム制御シーケンスによるやりとりを前記ネットワークを介して行うことにより、前記送信依頼データと前記宛先情報とを、前記通信端末装置に送信する処理と、
前記モデム制御シーケンス中に、前記送信依頼データの送信結果の通知先アドレス情報を組み込んで前記通信端末装置に送信する処理とを実行し、
前記通信端末装置は、少なくとも、
前記ネットワーク端末装置に対して、前記モデム制御シーケンスによる擬似応答を返送する処理と、
前記送信依頼データの送信終了後、当該送信の結果を内容として含む電子メールを前記ネットワークを介して前記通知先アドレス情報により特定される宛先に送信する処理と、
前記送信依頼データを指定した送信取消の旨を内容とする電子メールを受信したときには記憶手段に記憶している当該送信依頼データを削除し、
当該送信依頼データを指定した再送信の旨を内容とする電子メールを受信したときには前記記憶手段に記憶している当該送信依頼データを前記宛先情報により指定された宛先に再送信する処理とを行うことを特徴とするデータ通信システムにおける送信結果通知方法。
【発明の詳細な説明】
【０００１】
【発明の属する技術分野】
本発明は、通信端末装置、及び、データ通信システムにおける送信結果通知方法に関する。
【０００２】
【従来の技術】
ファクシミリ装置等の通信端末装置が、回線を介して送信宛先にファクシミリデータ等のデータを送信する場合、相手側が話し中または通信中であったり、相手側が自装置と適合しない、電話機等の端末装置であった場合には、送信エラーが発生するため、その旨をデータの送信を指示したユーザに通知する必要がある。
【０００３】
単独で動作するファクシミリ装置であれば、ファクシミリデータの送信は、送信すべき原稿をユーザが当該ファクシミリ装置のスキャナにセットして、相手先番号を操作パネルから入力指定して、送信スタートキーを押す等することにより、当該ファクシミリ装置本体において指示される。そのため、通信結果のレポートを自装置のプロッタで記録紙に記録して出力することで、送信を指示されたデータが正常に送信された旨や、送信エラーとなった旨を、ファクシミリデータの送信を指示したユーザに通知できる。
【０００４】
また、ファクシミリ装置にファクシミリデータの送信を指示したユーザは、ファクシミリデータの送信操作のときには、ファクシミリ装置の設置場所にいるが、それ以外のときには、自分の席にいることが多いため、特開平２−１７２３４８号公報に記載された技術のように、電子メール機能を備えたネットワークに接続されたファクシミリ装置が、送信終了後に、当該送信についての送信結果レポートを送信時に入力された送信者識別情報宛ての電子メールとしてネットワークに発行するようにしたものがある。
【０００５】
しかし、その場合の送信結果レポートは、ファクシミリ装置本体において送信操作がなされたファクシミリ送信に関しての送信結果レポートであり、送信結果レポートの電子メールの送信宛先は、送信者識別情報としてファクシミリ装置本体における送信操作時に入力する必要がある。
【０００６】
一方、ネットワークに接続されたファクシミリ装置におけるファクシミリデータの送信形態としては、自装置のスキャナで送信原稿を読み取って得た画データをファクシミリデータとして送信する場合の他、ネットワークに接続された他のネットワーク端末から転送されてくる送信依頼ファクシミリデータを、自装置のファクシミリデータ送信機能のみを使用して送信する場合がある。
【０００７】
しかし、その場合、送信依頼元のネットワーク端末において稼動しているファクシミリアプリケーション上の通信履歴は、送信依頼するファクシミリデータを前記ネットワーク上に形成された仮想的な通信路を介して前記ファクシミリ装置に転送する際の通信についての履歴となるため、送信依頼したファクシミリデータが回線を介して本来の送信相手先に送信された際の送信結果についての情報は、送信依頼先の前記ファクシミリ装置で止まってしまい、送信依頼元のネットワーク端末までは届かない。
【０００８】
そのため、前記送信依頼元のネットワーク端末を操作して送信依頼をしたユーザは、自分が送信依頼したファクシミリデータについての送信結果を、わざわざ前記ファクシミリ装置の設置場所までいって、当該ファクシミリ装置が出力する通信管理レポートや送信結果レポートまたは不達レポートを見て確認する必要があった。
【０００９】
また、ネットワークに接続されたファクシミリ装置においては、送信依頼されたファクシミリデータについての送信結果レポートのネットワークにおける通知宛先の変換テーブルをファクシミリ装置において予め入力して登録しておくこともできる。しかし、その場合、変換テーブルの入力・登録をファクシミリ装置側で行わなければならないため、操作性が悪く、また、メモリ消費量が増加してしまうという問題点があり、更に、登録されていない宛先には送信結果を通知できないという問題点があった。
【００１０】
また、上記各問題点は、送信依頼するデータがファクシミリデータの場合に限らず、Ｇ３ファクシミリの付加機能であるＢＦＴ（Ｂｉｎａｒｙ  Ｆｉｌｅ  Ｔｒａｎｓｆｅｒ）によるバイナリデータの送信依頼の場合や、その他のデータを通信端末装置に送信依頼する場合にも同様に生じ得るものである。
【００１１】
本発明は、係る事情に鑑みてなされたものであり、通信端末装置における登録操作を行うことなく、当該通信端末装置が送信依頼元のネットワーク端末装置に対して送信結果を通知できる、通信端末装置、及び、データ通信システムにおける送信結果通知方法を提供することを目的とする。
【００１２】
【課題を解決するための手段】
請求項１記載の通信端末装置は、ネットワークを介して接続されるネットワーク端末装置から、送信依頼データと、この送信依頼データの宛先を指定する宛先情報とを受信して、この宛先情報に基づいて、前記送信依頼データを送信する通信端末装置において、
モデム制御シーケンスによるやりとりを前記ネットワークを介して行うことにより、前記送信依頼データの送信結果を通知すべき通知先アドレス情報を前記ネットワーク端末装置から受信する手段と、前記ネットワーク端末装置に対して前記モデム制御シーケンスによる擬似応答を返送する手段と、前記送信依頼データの送信終了後、当該送信の結果を内容として含む電子メールを前記ネットワークを介して前記通知先アドレス情報により特定される宛先に送信する手段と、前記送信依頼データと前記宛先情報とを記憶する記憶手段とを有し、前記送信依頼データの送信結果が送信エラーであった場合には、当該送信依頼データを前記宛先情報および前記通知先アドレス情報と共に前記記憶手段に記憶保持する一方、前記送信依頼データを指定した送信取消の旨を内容とする電子メールを受信したときには、前記記憶手段に記憶している当該送信依頼データを削除し、前記送信依頼データを指定した再送信の旨を内容とする電子メールを受信したときには、前記記憶手段に記憶している当該送信依頼データを、前記宛先情報により指定された宛先に再送信することを特徴とする。
請求項２記載のデータ通信システムにおける送信結果通知方法は、ネットワークを介して接続される通信端末装置に対して、送信依頼データとこの送信依頼データの宛先を指定する宛先情報とを送るネットワーク端末装置と、前記ネットワーク端末装置から受信した前記送信依頼データを前記宛先情報に基づいて送信する前記通信端末装置とを含むデータ通信システムにおける送信結果通知方法であって、前記ネットワーク端末装置は、少なくとも、モデム制御シーケンスによるやりとりを前記ネットワークを介して行うことにより、前記送信依頼データと前記宛先情報とを、前記通信端末装置に送信する処理と、前記モデム制御シーケンス中に、前記送信依頼データの送信結果の通知先アドレス情報を組み込んで前記通信端末装置に送信する処理とを実行し、前記通信端末装置は、少なくとも、前記ネットワーク端末装置に対して、前記モデム制御シーケンスによる擬似応答を返送する処理と、前記送信依頼データの送信終了後、当該送信の結果を内容として含む電子メールを前記ネットワークを介して前記通知先アドレス情報により特定される宛先に送信する処理と、前記送信依頼データを指定した送信取消の旨を内容とする電子メールを受信したときには記憶手段に記憶している当該送信依頼データを削除し、当該送信依頼データを指定した再送信の旨を内容とする電子メールを受信したときには前記記憶手段に記憶している当該送信依頼データを前記宛先情報により指定された宛先に再送信する処理とを行うことを特徴とする。
【００１４】
【発明の実施の形態】
以下、添付図面を参照しながら、本発明の実施の形態を詳細に説明する。
【００１５】
先ず、図１に、本発明に係る送信結果通知方法が適用されるデータ通信システムとしてのネットワークファクシミリシステム１の全体構成を示す。
【００１６】
同図において、ＴＣＰ／ＩＰプロトコルでデータをやりとりするＬＡＮ（ローカルエリアネットワーク）４００には、ネットワーク端末として、本発明に係る通信端末装置としてのファクシミリ装置（ＦＡＸ）１００、メールザーバ、ファイルサーバ等のサーバ機能を担うサーバ装置２００、クライアント装置としてのパーソナルコンピュータ（ＰＣ）３００ａ及びｂが接続されている。なお、図においては、クライアント装置として３００ａ及びｂのみを代表的に示しているが、実際はＬＡＮ４００には、多数のクライアント装置３００が接続されている。なお、以後の説明においては、クライアント装置を単にＰＣと称する場合もある。
【００１７】
また、ファクシミリ装置１００はＰＳＴＮ（電話回線）にも接続されていて、ＰＳＴＮ５００を介して、ＰＳＴＮ５００に接続された他のファクシミリ装置６００ａや６００ｂとの間で、ＰＳＴＮ５００を介したファクシミリデータの送受信を行う。なお、図においては、ＰＳＴＮ５００に接続されたファクシミリ装置１００以外のファクシミリ装置として６００ａ及びｂのみを代表的に示しているが、実際はＰＳＴＮ５００には、多数のファクシミリ装置６００が接続されている。
【００１８】
図２にファクシミリ装置１００のブロック構成を示す。
【００１９】
同図において、ファクシミリ装置１００は、システム制御部１０１、ＲＯＭ１０２、ＲＡＭ１０３、タイマ１０４、操作表示部１０５、ハードディスク装置１０６、ＳＲＡＭ１０７、通信制御部１０８、網制御部１０９、符号化復号化部１１０、スキャナ１１１、プロッタ１１２、ＬＡＮインターフェース１１３、キャラクタジェネレータ１１４、及び、システムバス１１５により構成されている。
【００２０】
システム制御部１０１は、ＲＯＭ１０２書き込まれた制御プログラムに従って、ＲＡＭ４を作業領域として使用しながら装置各部を制御するマイクロコンピュータである。ＲＯＭ１０２は、上記したように、システム制御部１０１が上記装置各部を制御するための制御プログラムが記憶されているリードオンリメモリである。ＲＡＭ１０３は、前述したようにシステム制御部１０３の作業領域として使用されるランダムアクセスメモリである。
【００２１】
タイマ１０４は、時刻の計時や、設定した時間の経過を検出してシステム制御部１０１に通知する等の時間についての制御を行うためのものである。操作表示部１０５は、宛先電話番号を指定するためのテンキー、送信スタートキー、ワンタッチダイヤルキー、及び、その他各種設定キーが配設され、ユーザによる各種操作を受け入れるためのものであり、また、液晶表示装置等の表示器を備え、ユーザに知らせるべき装置の動作状態や、各種メッセージを表示するものである。
【００２２】
ハードディスク装置１０６は、スキャナ１１１で読み取った画像データを、メモリ送信するために一時的にファイルとして蓄積したり、受信した画像データを、プロッタ１１２により記録するまでファイルとして一時的に蓄積したり、後述するように、ＰＣ３００から転送されたファクシミリデータを送信するために一時的にファイルとして蓄積したりするためにも使用される。ＳＲＡＭ１０７は、装置電源遮断時にも保持すべきデータを記憶するためのものであり、図示しないバックアップ回路によりバックアップされ装置電源遮断時にもその記憶内容を保持し続ける。
【００２３】
通信制御部１０８は、Ｇ３ファクシミリモデム機能を備えており、網制御部１０９を介してＰＳＴＮ５００に送信するデータを変調する一方、ＰＳＴＮ５００から網制御部１０９を介して受信したデータを復調するためのものである。また、通信制御部１０８は、入力されたダイヤル番号に対応してＤＴＭＦ信号の送出も行う。網制御部１０９は、ＰＳＴＮ５００に接続されて、回線の直流ループの閉結・解放や、回線の極性反転の検出、回線解放の検出、発信音の検出、ビジートーン（話し中）等のトーン信号の検出、呼出信号の検出等の回線との接続制御や、ダイヤルパルスの生成を行うものである。
【００２４】
符号化復号化部１１０は、送信画像データを、Ｇ３ファクシミリに適合する、ＭＨ符号化方式やＭＲ符号化方式等の所定の符号化方式で符号化圧縮する一方、受信画像データをＭＨ符号化方式やＭＲ符号化方式に対応する所定の復号化方式で復号伸長するものである。スキャナ１１１は、３．８５本／ｍｍ、７．７本／ｍｍ、１５．４本／ｍｍ等の所定の読み取り線密度で原稿画像を読み取って画像データを得るためのものである。プロッタ１１２は、受信した画像データを、その線密度に応じて記録出力したり、スキャナ１１１で読み取った画像データを、その線密度に応じて記録出力（コピー動作）するためのものである
【００２５】
ＬＡＮインターフェース１１３は、ＬＡＮ４００に接続され、ファクシミリ装置１００のＬＡＮ４００を介したデータの送受信を制御するためのものである。キャラクタジェネレータ１１４は、文字のフォント情報を記憶したものである。システムバス１１５は、装置各部がデータをやりとりするための信号ラインである。
【００２６】
図３にＬＡＮインターフェース１１３の内部のブロック構成を示す。
【００２７】
同図において、ＦＡＸ−Ｉ／Ｆ部１１３ａは、システムバス１１５を介してファクシミリ装置１００本体のシステム制御部１０１との間でデータやコマンドのやりとりを行うためのものである。メール制御部１１３ｂは、電子メールの送受信を制御するもので、ＭＩＭＥ（Ｍｕｌｔｉｐｕｒｐｏｓｅ  ＩｎｔｅｒｎｅｔＭａｉｌ  Ｅｘｔｅｎｓｉｏｎｓ）変換やＳＭＴＰ（Ｓｉｍｐｌｅ  ＭａｉｌＴｒａｎｓｆｅｒ  Ｐｒｏｔｏｃｏｌ）送信、あるいはＰＯＰ３（Ｐｏｓｔ  Ｏｆｆｉｃｅ  Ｐｒｏｔｏｃｏｌ  Ｖｅｒ．３）受信を行う。
【００２８】
ＡＴコマンド制御部１１３ｃは、ＬＡＮ４００上のＰＣ３００からのＦＡＸ送信依頼の受付を行う。この受付はＰＣ３００からのＡＴコマンドに疑似応答する事で行われる。ＡＴコマンドとは一般にパーソナルコンピュータがモデムを制御するコマンド体系のことでＦＡＸ通信を行うためのＡＴコマンドがＩＴＵ−Ｔ勧告Ｔ．３１／Ｔ．３２として標準化されている。
【００２９】
ＬＡＮプロトコル制御部１１３ｄは、ＬＡＮの標準的なプロトコルであるＴＣＰ／ＩＰ手順を制御するものである。ＬＡＮドライバ部１１３ｅは、ＬＡＮ４００にアクセスするための物理レベルの制御を行うものである。
【００３０】
以上のように構成されるファクシミリ装置４００に対して、ＰＣ３００がＦＡＸ送信依頼をするために、ＰＣ３００側では、図４に示すように、パーソナルコンピュータでファクシミリ機能を実現するためのアプリケーションであるＰＣ−ＦＡＸアプリケーション３０１が、ＣＯＭポート３０４に接続されている（実際には接続されていない場合もある）ＦＡＸモデム３１０に送出するＡＴコマンドをＬＡＮ４００を介してファクシミリ装置１００側に振り向けるために、ＣＯＭポートリダイレクタ３０５を予めインストールしておく。また、ＣＯＭポートリダイレクタ３０５のインストール時には、そのＣＯＭポートリダイレクタ３０５がインストールされるＰＣ３００の（ユーザの）電子メールアドレスを登録しておく。
【００３１】
ＣＯＭポートリダイレクタ３０５のインストール時に設定したあるＣＯＭポート（この場合ＣＯＭポート３０４であるとする）に、ＰＣ−ＦＡＸアプリケーション３０１から、ＣＯＭポートＡＰＩ（Ａｐｐｌｉｃａｔｉｏｎ Ｐｒｏｇｒａｍ Ｉｎｔｅｒｆａｃｅ）３０２、ＣＯＭポートドライバ３０３を介してＡＴコマンドが送出された場合、ＣＯＭポートＡＰＩ３０２を介した時点でＣＯＭポートリダイレクタ３０５が受け取り、ＬＡＮプロトコル３０６にマッピングして、ＬＡＮドライバ３０７及びＬＡＮインターフェース３０８を介し、ＬＡＮ４００を経由してファクシミリ装置１００にリダイレクト（方向転換）する。一方、ファクシミリ装置１００は、あたかもＰＣ３００にとってのＦＡＸモデムであるかのように振る舞って、ＰＣ３００からの送信依頼画情報の転送を受ける。一方、ＰＣ３００側のＰＣ−ＦＡＸアプリケーション３０１のレベルでは、送信画情報は、ＣＯＭポート３０４に接続されたＦＡＸモデム３１０により、ＰＳＴＮ５００を介して、指定した宛先に送信された場合と何ら変わるところがない。
【００３２】
図５に、ＰＣ３００がファクシミリ装置１００に対して画情報の送信依頼を行う場合の手順及び通信シーケンスについて示す。
【００３３】
同図において、先ず、ＰＣ３００側のＣＯＭポートリダイレクタ３０５は、ＰＣ−ＦＡＸアプリケーション３０１からのＣＯＭポート３０４へのＡＴコマンドの送出を監視することで、ＦＡＸ送信処理が起動されたかを監視し（判断１００１のＮｏループ）、ＦＡＸ送信処理が起動されてＡＴコマンドの送出が認識されると（判断１００１のＹｅｓ）、ＣＯＭポートのリダイレクトを開始する（処理１００２）。
【００３４】
そして、ＰＣ３００とファクシミリ装置１００との間で予め取り決めたＴＣＰポート番号「××××」のオープンを、ＰＣ３００からファクシミリ装置１００に要求し（フェーズＦ１）、ファクシミリ装置１００がその要求に対して「オープン成功」を返し（フェーズＦ２）、それを受けてＰＣ３００がＣＯＭポートリダイレクタ３０５のインストール時に設定された自端末の電子メールアドレスを送出し（フェーズＦ３）、それに対してファクシミリ装置１００が「ＯＫ」を返す。
【００３５】
これにより、ＰＣ３００とファクシミリ装置１００との間に仮想回線が確立され、以後、フェーズＦ５のＰＣ３００からのＡＴコマンド送信と、フェーズＦ６のファクシミリ装置１００からのＡＴコマンド疑似応答によるＡＴコマンド通信繰り返し行うことで、ファクシミリ装置１００は、ＰＣ３００のＰＣ−ＦＡＸアプリケーション３０１においてユーザにより指定された送信宛先情報や送信画情報をフェーズＦ３で受信したメールアドレス「ｍｏｒｉ＠ｘｘｘ．ｃｏ．ｊｐ」と共に保存する。
【００３６】
そして、ＡＴコマンド通信が終了すると、ＰＣ３００からファクシミリ装置１００に対して、フェーズＦ１でオープンしたＴＣＰポート「××××」のクローズを要求し（フェーズＦ７）、ファクシミリ装置１００がその要求に対して「クローズ成功」を返す（フェーズＦ８）。これにより、ＰＣ３００とファクシミリ装置１００との間に確立された仮想回線は切断され、ＰＣ１００側にとっての画情報の送信依頼処理は完了する。その後、ファクシミリ装置１００は、ＰＣ３００からＬＡＮ４００を介して転送された送信依頼画情報に対して、自装置のスキャナ１１１で読み取った画情報を操作表示部１０５から指定された宛先に送信するのと同様な、ＦＡＸ送信処理を行う（処理２００１）。
【００３７】
図６に、ファクシミリ装置１００において行われる、図５に示した通信シーケンスに沿った送信依頼画情報の送信処理手順を示す。
【００３８】
図６において、ファクシミリ装置１００は、送信依頼元のＰＣ３００との間でＬＡＮ４００を介した仮想回線を接続し（処理３００１）、送信依頼元のＰＣ３００のメールアドレスを受信する（処理３００２）。この処理３００１及び３００２は、図５のフェーズＦ１ないしＦ４に対応している。
【００３９】
そして、図５のフェーズＦ５及びＦ６に対応するＡＴコマンド通信を繰り返し行うことにより、送信依頼のファクシミリ画情報を受信する（処理３００３）。受信した画情報そのものは、送信画情報ファイルとしてハードディスク装置１０６に格納される。
【００４０】
その送信画情報ファイルに付帯する情報を送信ジョブ情報として、図７に示す形式で、バックアップされているＳＲＡＭ１０７に記憶する（処理３００４）。図７に示す送信ジョブ情報は、送信ジョブを特定するためのジョブ番号「０００１」、送信依頼元から送信宛先として指定された宛先ＦＡＸ番号「０３−ｘｘｘｘｘ−ｙｙｙｙ」、ハードディスク装置１０６に格納されている送信画情報ファイルを特定するための送信画情報ファイル番号「００１０」、依頼元のＰＣ３００の電子メールアドレスである依頼ＰＣメールアドレス「ｍｏｒｉ＠ｘｘｘ．ｃｏ．ｊｐ」等で構成されている。
【００４１】
そして、送信ジョブ情報から読み出した宛先ＦＡＸ番号に発呼し、送信画情報ファイル番号「００１０」に対応する画情報をハードディスク装置１０６から読み出して、Ｇ３ファクシミリプロトコルにより、ＰＳＴＮ５００を介して宛先のファクシミリ装置６００に送信する（処理３００５）。この処理３００５の送信処理は、数回繰り返すこともでき、その場合、相手が長時間の通信中でなければ送信依頼された画情報の送信を正常終了させることができる。
【００４２】
処理３００５の送信処理の結果が、送信エラーでなかった場合（判断３００６のＹｅｓ）は、当該送信依頼された画情報についての送信ジョブ情報を消去して（処理３００７）、処理を終了する。なお、この送信エラーでなかった場合に、図８に示すような内容のテキストメールを作成して電子メールとして送信依頼元のメールアドレス宛に送信することもでき、それにより、送信依頼元は、自分が送信依頼した画情報のファクシミリ装置１００における送信結果が、正常であったことを明示的に知ることができる。
【００４３】
図８に示すテキストメールは、「Ｔｏ」、「Ｆｒｏｍ」、「Ｓｕｂｊｅｃｔ」の各フィールドからなる、ＲＦＣ８２２の規定に基づく書式のメールヘッダと「ジョブ番号０００１（送信先０３−ｘｘｘｘｘ−ｙｙｙｙ）は送信正常終了しました。」とのメール本文より構成されている。メールヘッダにおいて、電子メールの送信宛先アドレスを示す「Ｔｏ」フィールドには、送信依頼元から通知されたメールアドレス「ｍｏｒｉ＠ｘｘｘ．ｃｏ．ｊｐ」が記され、電子メールの送信元アドレスを示す「Ｆｒｏｍ」フィールドには、ファクシミリ装置１００のメールアドレス「ｎｅｔｆａｘ＠ｘｘｘ．ｃｏ．ｊｐ」が記され、電子メールのタイトルを示す「Ｓｕｂｊｅｃｔ」フィールドには、このメールが送信ジョブ００１についての送信結果レポートであることを示す「Ｔｒａｎｓｍｉｓｓｉｏｎ  Ｒｅｐｏｒｔ  ００１」との文字列が記されている。なお、メールヘッダについては、後述する図９または図１０に示すテキストメールについても同様である。ただし、図９または図１０に示すものの場合は、「Ｓｕｂｊｅｃｔ」フィールドに、送信エラーのレポートであることを示す「Ｅｒｒｏｒ  Ｒｅｐｏｒｔ  ０００１」との文字列が記されて点が異なる。
【００４４】
さて、処理３００５の送信処理の結果が、送信エラーであった場合（判断３００６のＹｅｓ）は、テキストメールを作成し（処理３００８）、その作成したテキストメールを電子メールとして送信依頼元のメールアドレス宛に送信する（処理３００９）。なお、送信エラーであった場合（判断３００６のＹｅｓ）には、処理３００７は行われないため、送信エラーとなった送信依頼の画情報についての送信ジョブ情報は、基本的にはＳＲＡＭ１０７にそのまま保持・記憶される。
【００４５】
図９及び図１０に、処理３００８で作成されるテキストメールの一例を示す。
【００４６】
図９に示すものは、指定された送信宛先が送信時に他のファクシミリ装置と通信中であったために送信エラーとなった場合のように、再送により送信できる可能性がある送信エラーの場合の文面であり、「ジョブ番号０００１（送信先０３−ｘｘｘｘｘ−ｙｙｙｙ）は送信エラーです。」との文字列が、送信エラーであったことを示し、「再送する場合は［ＪＯＢ＝０００１］を記入して返信して下さい」との文字列が、送信依頼した画情報を再送する場合の対処法を示し、「取り消す場合は［ＪＯＢ＝ＣＡＮＣＥＬ］を記入して返信して下さい」との文字列が、送信依頼した画情報を再送しないで取り消す場合の対処法を示している。
【００４７】
図１０に示すものは、指定された送信宛先が番号違いで送信宛先が実際にはファクシミリ装置ではなかったために送信エラーとなった場合のように、再送により送信できる可能性がない送信エラーの場合の文面であり、「ジョブ番号０００１（送信先０３−ｘｘｘｘｘ−ｙｙｙｙ）は送信エラーです。」との文字列が、送信エラーであったことを示し、「再送できないエラーのため消去しました」との文字列が、送信依頼した画情報を再送できない旨を示している。したがって、再送により送信できる可能性がない送信エラーの場合には、送信エラーとなった送信依頼の画情報についての送信ジョブ情報は、ＳＲＡＭ１０７から消去される。
【００４８】
このように、ＰＣ３００から、送信依頼の画情報に送信宛先情報と送信結果を通知するメールアドレスを付加してファクシミリ装置１００に転送し、ファクシミリ装置１００が送信依頼の画情報を指定された送信宛先に送信した結果を、指定されたメールアドレスに電子メールとして送信することで、ファクシミリ装置１００側での登録操作を行うことなしに、ファクシミリ装置１００が送信依頼元のＰＣ３００に対して送信結果を通知できる。
【００４９】
さて、送信依頼元のＰＣ３００のユーザは、普段使用しているメイラーソフトをＰＣ３００起動することにより、処理３００９でファクシミリ装置１００から送信された電子メールを受信する。
【００５０】
その場合、受信した電子メールが図９に示したような、再送により送信できる可能性がある送信エラーについての電子メールであった場合、ユーザは、メイラーソフトが通常備える受信メールに対する返信機能により、再送を依頼する返信メール、または、送信を取り消す返信メールをファクシミリ装置１００宛に送信できる。
【００５１】
図１１及び図１２は、その返信メールの一例を示している。
【００５２】
図１１に示すものは、再送を指示する返信メールで、メールヘッダの「Ｔｏ」フィールドには、返信宛先となるファクシミリ装置１００のメールアドレス「ｎｅｔｆａｘ＠ｘｘｘ．ｃｏ．ｊｐ」が記され、電子メールの送信元アドレスを示す「Ｆｒｏｍ」フィールドには、送信依頼元のメールアドレス「ｍｏｒｉ＠ｘｘｘ．ｃｏ．ｊｐ」が記され、電子メールのタイトルを示す「Ｓｕｂｊｅｃｔ」フィールドには、送信エラーのレポートに対する返信であることを示す「Ｒｅ：Ｅｒｒｏｒ  Ｒｅｐｏｒｔ  ０００１」との文字列が記されている。そして、メール本文には、図９に示したテキストメールにより、再送する場合に記入するよう指示された、［ＪＯＢ＝０００１］の文字列が記されている。
【００５３】
図１２に示すものは、送信の取り消しを指示する返信メールで、メールヘッダの「Ｔｏ」フィールドには、返信宛先となるファクシミリ装置１００のメールアドレス「ｎｅｔｆａｘ＠ｘｘｘ．ｃｏ．ｊｐ」が記され、電子メールの送信元アドレスを示す「Ｆｒｏｍ」フィールドには、送信依頼元のメールアドレス「ｍｏｒｉ＠ｘｘｘ．ｃｏ．ｊｐ」が記され、電子メールのタイトルを示す「Ｓｕｂｊｅｃｔ」フィールドには、送信エラーのレポートに対する返信であることを示す「Ｒｅ：Ｅｒｒｏｒ  Ｒｅｐｏｒｔ  ０００１」との文字列が記されている点は、図１１に示したものと同様であるが、メール本文には、図９に示したテキストメールにより、送信を取り消す場合に記入するよう指示された、［ＪＯＢ＝ＣＡＮＣＥＬ］の文字列が記されている。
【００５４】
次に、ファクシミリ装置１００が、自装置が送信依頼元のＰＣ３００に送信した送信結果についての電子メールに対して返信されてくる電子メール等を受信した場合の処理手順について、図１３を参照して説明する。
【００５５】
同図において、ファクシミリ装置１００は、電子メールの受信を監視し（判断４００１のＮｏループ）、電子メールを受信すると（判断４００１のＹｅｓ）、その受信した電子メールが、送信依頼元のＰＣ３００からの再送指示メールであるか、送信取消メールであるかまたは、それら以外の通常の電子メールであるかを判断する（判断４００２、判断４００３）。そして、通常の電子メールである場合（判断４００３のＮｏ）は、通常の電子メール受信処理を行う（処理４００４）。
【００５６】
受信した電子メールが図１２に例示した送信取り消しメールである場合（判断４００３のＹｅｓ）には、受信した電子メールの送信元のメールアドレスに対応する送信ジョブ情報をＳＲＡＭ１０７から消去して、送信を取り消す（処理４００５）。
【００５７】
受信した電子メールが図１１に例示した再送指示メールである場合（判断４００２のＹｅｓ）には、受信した電子メールの送信元のメールアドレスに対応する送信ジョブ情報をＳＲＡＭ１０７から取り出して（処理４００６）、その取り出した送信ジョブ情報から読み出した宛先ＦＡＸ番号に発呼し、送信画情報ファイル番号に対応する画情報をハードディスク装置１０６から読み出して、Ｇ３ファクシミリプロトコルにより、ＰＳＴＮ５００を介して宛先のファクシミリ装置６００に送信する（処理３００７）。
【００５８】
処理４００７の送信処理の結果が、送信エラーでなかった場合（判断４００８のＹｅｓ）は、当該送信依頼された画情報についての送信ジョブ情報を消去して（処理４００５）、処理を終了する。なお、この送信エラーでなかった場合に、図８に示したような内容のテキストメールを作成して電子メールとして送信依頼元のメールアドレス宛に送信することもでき、それにより、送信依頼元は、自分が再送を指示した画情報のファクシミリ装置１００における送信結果が、正常であったことを明示的に知ることができる。
【００５９】
処理４００８の送信処理の結果が、送信エラーであった場合（判断４００８のＹｅｓ）は、その送信エラーの原因に応じて、図９または図１０に例示したテキストメールを作成し（処理４００９）、その作成したテキストメールを電子メールとして送信依頼元のメールアドレス宛に送信する（処理４０１０）。これにより、送信依頼元は、自分が再送を指示した画情報のファクシミリ装置１００における送信結果が、再度送信エラーであったことを知ることができる。
【００６０】
なお、再送しても送信エラーが続くと、処理４００８の判断結果Ｙｅｓとなって送信エラーの旨の電子メールが送信依頼元に送信され、送信依頼元から再送指示メールが返送されることが繰り返され、再送処理が無限ループとなり得るが、それを避けるために、実際には、最大再送回数が規定されて再送回数は制限される。
【００６１】
このように、送信依頼元のＰＣ３００からの再送依頼や、送信取り消しを電子メールでファクシミリ装置１００に指示できるため、送信エラーとなった送信依頼画情報をＰＣ３００からファクシミリ装置１００にＬＡＮ４００上の疑似回線を介して再送信する必要が無く、送信エラー時の対応が簡単になる。
【００６２】
なお、以上説明した実施の形態において、通信端末装置のひとつであるファクシミリ装置をシステム中に含むデータ通信システムであるネットワークファクシミリシステムに本発明を適用したが、本発明はそれに限らず、バイナリデータ等のその他のデータをネットワーク上の他端末から送信依頼された通信端末装置が、その送信依頼データを回線を介して指定された相手先に送信するデータ通信システムであれば、同様に適用可能なものである。
【００６３】
【発明の効果】
本発明によれば、送信依頼元ネットワーク端末装置は、送信依頼データを送信宛先情報及び送信結果の通知先アドレス情報と共に前記ネットワークを介して前記通信端末装置に転送する一方、前記通信端末装置は、前記ネットワークを介して前記送信依頼元ネットワーク端末から転送されてきた送信依頼データを、前記送信宛先情報により指定された宛先に送信し、その送信の終了後、当該送信の結果を内容として含む電子メールを前記ネットワークを介して前記通知先アドレス情報により特定される宛先に送信するため、前記ネットワーク端末装置のユーザは、自分が依頼したＦＡＸ送信の結果を電子メールにより知ることができる効果が得られるばかりでなく、前記通信端末装置においては、変換テーブル等の登録操作を行う必要がない利点がある。
また、本発明によれば、前記通信端末装置は、前記依頼元ネットワーク端末装置からの送信依頼データの送信結果が送信エラーであった場合には、当該送信依頼データを前記送信宛先情報及び通知先アドレス情報と共に記憶保持しておき、その後当該送信依頼データを指定した送信取消の旨を内容とする電子メールを受信したときには、当該送信依頼データの送信を取り消し、再送信の旨を内容とする電子メールを受信したときには、当該送信依頼データを前記送信宛先情報により指定された宛先に再送信するため、前記ネットワーク端末のユーザは、自分が依頼したＦＡＸ送信についての送信取り消しや再送を容易に行うことができ、ユーザの送信結果に対する対応が簡単になる利点がある。
【図面の簡単な説明】
【図１】本発明の実施の形態に係るデータ通信システムとしてのネットワークファクシミリシステムの全体構成を示す図である。
【図２】本発明の実施の形態に係るデータ通信システムを構成するファクシミリ装置のブロック構成を示す図である。
【図３】図２に示すファクシミリ装置のＬＡＮインターフェースのブロック構成を示す図である。
【図４】本発明の実施の形態に係るデータ通信システムを構成するパーソナルコンピュータ（ＰＣ）側のソフトウェア的なブロック構成を示す図である。
【図５】図４に示すパーソナルコンピュータから図２に示すファクシミリ装置に対して画情報の送信依頼を行う場合の手順及び通信シーケンスにいて示す図である。
【図６】図２に示すファクシミリ装置における送信依頼画情報の送信処理手順を示すフローチャートである。
【図７】送信ジョブ情報の形式及び内容例を示す図である。
【図８】送信依頼された画情報の送信結果を通知する電子メールの一例を示す図である。
【図９】送信依頼された画情報の送信結果を通知する電子メールの一例を示す図である。
【図１０】送信依頼された画情報の送信結果を通知する電子メールの一例を示す図である。
【図１１】送信依頼した画情報の送信結果を通知してきた電子メールに対する返信メールの一例を示す図である。
【図１２】送信依頼した画情報の送信結果を通知してきた電子メールに対する返信メールの一例を示す図である。
【図１３】図２に示したファクシミリ装置における電子メールを受信した場合の処理手順を示すフローチャートである。
【符号の説明】
１  ネットワークファクシミリシステム
１００  ファクシミリ装置
１０１  システム制御部
１０２  ＲＯＭ
１０３  ＲＡＭ
１０４  タイマ
１０５  操作表示部
１０６  ハードディスク装置
１０７  ＳＲＡＭ
１０８  通信制御部
１０９  網制御部
１１０  符号化復号化部
１１１  スキャナ
１１２  プロッタ
１１３  ＬＡＮインターフェース
１１３ａ  ＦＡＸ−Ｉ／Ｆ部
１１３ｂ  メール制御部
１１３ｃ  ＡＴコマンド制御部
１１３ｄ  ＬＡＮプロトコル制御部
１１３ｅ  ＬＡＮドライバ部
１１４  キャラクタジェネレータ
１１５  システムバス
２００  サーバ装置
３００  クライアント装置（ＰＣ）
３０１  ＰＣ−ＦＡＸアプリケーション
３０２  ＣＯＭポートＡＰＩ
３０３  ＣＯＭポートドライバ
３０４  ＣＯＭポート
３０５  ＣＯＭポートリダイレクタ
３０６  ＬＡＮプロトコル
３０７  ＬＡＮドライバ
３０８  ＬＡＮインターフェース
３１０  ＦＡＸモデム
４００  ＬＡＮ
５００  ＰＳＴＮ
６００  ファクシミリ装置
【図１】
0003816199.tif 000002
【図２】
0003816199.tif 000003
【図３】
0003816199.tif 000004
【図４】
0003816199.tif 000005
【図５】
0003816199.tif 000006
【図６】
0003816199.tif 000007
【図７】
0003816199.tif 000008
【図８】
0003816199.tif 000009
【図９】
0003816199.tif 000010
【図１０】
0003816199.tif 000011
【図１１】
0003816199.tif 000012
【図１２】
0003816199.tif 000013
【図１３】
0003816199.tif 000014